(57)【要約】【課題】発泡スチロール製品の廃棄問題と農家における浸透層の定期的な作り直し作業という分野の異なる二つの大きな問題を同時に解決することができる暗渠用浸透部材製造装置を提供すること。【解決手段】本発明に係る暗渠用浸透部材製造装置は、産業廃棄物としての発泡スチロール製品を破砕搬送する２本の並列に設けられたスクリューコンベアを有する破砕ケースと、破砕発泡スチロール片を網状の袋体に収容するための収容部と、前記破砕ケースと前記収容部とを連結する移送管とを備え、前記移送管に、破砕発泡スチロール片の表面層を溶融可能な温度の温風を、破砕ケースの出口から前記収容部の入口に向けて送風する送風手段を設け、前記送風手段により供給される温風により、破砕ケースから排出された破砕発泡スチロール片を、その表面を溶融固化しながら収容部へ送るように構成したことを特徴とする。【選択図】　図１
2004142289.tif 000002
【特許請求の範囲】
【請求項１】
産業廃棄物としての発泡スチロール製品を破砕搬送する２本の並列に設けられたスクリューコンベアを有する破砕ケースと、
破砕発泡スチロール片を網状の袋体に収容するための収容部と、
前記破砕ケースと前記収容部とを連結する移送管と
を備え、
前記移送管に、破砕発泡スチロール片の表面層を溶融可能な温度の温風を、破砕ケースの出口から前記収容部の入口に向けて送風する送風手段を設け、
前記送風手段により供給される温風により、破砕ケースから排出された破砕発泡スチロール片を、その表面を溶融固化しながら収容部へ送るように構成した
ことを特徴とする暗渠用浸透部材製造装置。
【発明の詳細な説明】
【０００１】
【発明の属する技術分野】
本発明は、産業廃棄物としての発泡スチロールを用いて暗渠の浸透層として利用可能な浸透部材を製造する装置に関する。
【０００２】
【従来の技術】
日常生活や事業活動における簡便さ快適さを要求し続けた結果、大量生産、大量消費のライフスタイルが定着するようになってきている。特に、発泡スチロールは軽量で弾力性があり断熱性もよく、しかも安価であることから、梱包材、野菜や魚介類等の食品用の容器等、各種の分野で広く製品化されて利用されており、その使用量も増加の一途をたどっている。しかしながら、発泡スチロール製品は、上述のような優れた特性を有する反面、強度及び耐久性は必ずしも優れているとはいえず、また、安価なため品物を輸送する時の梱包等、一時的に使い捨てとして使用されるものが多く、そのため使用済み発泡スチロール製品の廃棄物が大量に発生している。従来は、これらの使用後の発泡スチロール製品は埋立て、焼却等の手段で処理されてきた。
しかし、発泡スチロールは焼却する時に煙、悪臭が発生するので、住宅が隣接した市内等では焼却ができず、使用済みの発泡スチロールを郊外の焼却施設まで運送しなければならならないという問題があり、前記悪臭等の問題を除去するために触媒等の装置を付けた場合には焼却装置自体が高価なものになり、やはり手軽に使用できるものではなくなるという問題がある。使用済み発泡スチロール製品を埋立処理する場合には、上記煙、悪臭の発生の問題はなくなるが、住宅が隣接している市内では埋め立てるスペースが少なく、また、上述のように発泡スチロール製品の使用量が増加の一途をたどり、それに従って使用後の廃品となった発泡スチロール製品が増大してきているため、土地の利用を妨げる等の二次公害も引き起こしている。
出願人は上記した大量に発生する発泡スチロール製品の廃棄に関する問題点に鑑みて、産業廃棄物としての発泡スチロール製品を再生することができる装置を発明し、既に提案している（特許文献１参照）。
一方で、農業の分野では、暗渠の浸透層として使用していた籾殻が長年の使用により腐食し浸透性を失ってきており、浸透性回復のために籾殻を掘り起こして浸透層を新しく作り直さなければならなくなってきている。しかし、設置されている暗渠から暗渠排水管を除いた浸透層のみを掘り出すのは極めて困難であり、その結果、浸透層の作り直しのために暗渠全体を設置しなおさなければならないという問題が生じている。この作業は浸透層に籾殻を使用している限り定期的に強いられる作業になるので、定期的な取り替えの必要がない浸透層の開発が望まれている。
【０００３】
【特許文献１】特許第３２４４３９２号公報
【０００４】
【発明が解決しようとする課題】
出願人は、上記した発泡スチロール製品の再生利用装置の発明後も発泡スチロール製品の有効な再利用についての研究を重ね、前記した農業の分野における籾殻の腐食による浸透層の作り直しの必要性に着目し、発泡スチロール製品を用いて取替えの必要がない浸透部材を安価に簡単に製造する装置を発明した。
【０００５】
【課題を解決するための手段】
本発明に係る暗渠用浸透部材製造装置は、産業廃棄物としての発泡スチロール製品を破砕搬送する２本の並列に設けられたスクリューコンベアを有する破砕ケースと、破砕発泡スチロール片を網状の袋体に収容するための収容部と、前記破砕ケースと前記収容部とを連結する移送管とを備え、前記移送管に、破砕発泡スチロール片の表面層を溶融可能な温度の温風を、破砕ケースの出口から前記収容部の入口に向けて送風する送風手段を設け、前記送風手段により供給される温風により、破砕ケースから排出された破砕発泡スチロール片を、その表面を溶融固化しながら収容部へ送るように構成したことを特徴とする。
【０００６】
【発明の実施の形態】
以下、添付図面に示した一実施例を参照して本発明に係る暗渠用浸透部材製造装置の実施の形態について説明する。
図１は本発明に係る暗渠用浸透部材製造装置の概略側面図、図２は図１におけるＡ−Ａ断面図を各々示している。
【０００７】
図中符号１は箱型の破砕ケースを示している。この破砕ケース１は、その上面に使用済み発泡スチロールを投入するためのホッパ２が設けられている。また、破砕ケース１の前面には開口３が形成されており、破砕ケース１の前記開口３には、破砕発泡スチロール排出管４及び５が連結されている。破砕ケース１は、脚体６によって基礎台７の上に支持される。
前記破砕ケース１の内部には２本のスクリューコンベア８及び９がケース１の長手方向に平行に並べて設けられている。
一方のスクリューコンベア８は、その両端部が破砕ケース１の外壁によって回動自在に支持されており、モータ１０により回転駆動される。
他方のスクリューコンベア９は、その一端が破砕ケース１の外壁によって回転自在に支持されており、その他端は、前記開口３に設けられた支持部材１１によって回動自在に支持されている。このスクリューコンベア９は、前記支持部材１１を貫通して排出管４及び５の内部まで伸びており、モータ１２による回転駆動より、破砕後の発泡スチロールを後述する移送管まで送り出す。
前記開口３には、支持部材１１の他に開口３全体を覆うように放射状、円周状又は網目状に粉砕刃（図示せず）が設けられている。これにより、２本のスクリューコンベア８及び９の間で粉砕された発泡スチロールは、スクリューコンベア９により破砕ケース１から排出管４に送り出される過程で、この粉砕刃を通過し、さらに細かく粉砕されることになる。
【０００８】
前記した排出管５の下流端には、移送管２０が連結されている。この移送管２０は、破砕ケース１から所定の距離離して置かれたタンク２１まで伸びている。
タンク２１は、その下方にホッパー２２が形成されており、ホッパー２２の下端部には袋体取付手段２３が取り付けられている。袋体取付手段２３には、網目状の袋体２４が取り付けられ、移送管２０から送られてきた粉砕発泡スチロールは、この袋体２４の中に自動的に供給される。
【０００９】
前記移送管２０の上流端、即ち、破砕ケース１側の端部には送風機３０が設けられており、さらに、この送風機３０の下部にはバーナー３１が設けられている。
これにより、移送管２０内をバーナー３１によって加熱された温風が破砕ケース１側からタンク２１に向けて流れる。
バーナー３１による加熱温度は、移送管２０内を流れる温風の温度が粉砕された発泡スチロールの表面のみを溶融できる程度の温度に設定され、また、移送管２０の長さは、溶融された発泡スチロールの表面がタンク２１に到達する前に自然冷却され固化される程度の長さに設定される。
【００１０】
以上説明したように構成された本発明に係る暗渠用浸透部材製造装置の作用を簡単に説明する。
粉砕ケース１内に投入された産業廃棄物としての発泡スチロール製品は、２本のスクリューコンベア８及び９によってある程度粉砕された後、開口３に設けられた粉砕刃によりさらに細かく破砕される。
破砕後の発泡スチロール片は、スクリューコンベア９により排出管４及び５を通過して移送管２０へ送られる。
移送管２０に送られた破砕発泡スチロール片は、送風機３０によって供給される温風によってタンク２１迄運ばれる。この温風による移送中、粉砕発泡スチロール片は、始めに温風の温度によってその表面のみが溶融され、タンク２１に達するまでの間に自然冷却されて、その表面が固化される。
表面が溶融固化された破砕発泡スチロール片は、タンク２１内に溜まり、タンク２１の下方に設けられたホッパ２２を介して、網状袋体２４に収納される。
【００１１】
これにより製造された粉砕発泡スチロール片入りの網状袋体２４は、非常に水の浸透性がよいので、暗渠設置時に暗渠排水管の上に投入していくだけで有効な浸透層を形成することができる浸透部材として利用できる。
また、粉砕発泡スチロール片は、籾殻とは異なり長年の使用によっても腐食することがないので、この浸透部材を用いて浸透層を形成することにより、農家において長年問題となっていた浸透層の定期的な作り直し作業が必要なくなる。
【００１２】
【発明の効果】
上記したように、本発明に係る暗渠用浸透部材製造装置は、産業廃棄物としての発泡スチロール製品を破砕搬送する２本の並列に設けられたスクリューコンベアを有する破砕ケースと、破砕発泡スチロール片を網状の袋体に収容するための収容部と、前記破砕ケースと前記収容部とを連結する移送管とを備え、前記移送管に、破砕発泡スチロール片の表面層を溶融可能な温度の温風を、破砕ケースの出口から前記収容部の入口に向けて送風する送風手段を設け、前記送風手段により供給される温風により、破砕ケースから排出された破砕発泡スチロール片を、その表面を溶融固化しながら収容部へ送るように構成しているので、産業廃棄物として破棄すべき発泡スチロール製品から簡単に、しかも安価に暗渠の浸透層として利用可能な浸透部材を製造することが可能になる。
これにより製造された破砕発泡スチロール入りの網状袋体からなる浸透部材は、水浸透性が非常によく、かつ、籾殻とは異なり長年の使用によっても腐食することがないので、この浸透部材を用いて浸透層を形成することにより、農家において長年問題となっていた浸透層の定期的な作り直し作業が必要なくなる。
これにより、発泡スチロール製品の廃棄問題と農家における浸透層の定期的な作り直し作業という分野の異なる二つの大きな問題を同時に解決することができる。
【図面の簡単な説明】
【図１】本発明に係る暗渠用浸透部材製造装置の概略側面図である。
【図２】図１におけるＡ−Ａ断面図である。
【符号の説明】
１　破砕ケース
２　ホッパー
３　開口
４　排出管
５　排出管
６　脚体
７　基礎台
８　スクリューコンベア
９　スクリューコンベア
１０　モータ
１１　支持部材
１２　モータ
２０　移送管
２１　タンク
２２　ホッパー
２３　袋体取付手段
２４　網状袋体
３０　送風機
３１　バーナー
【図１】
2004142289.tif 000003
【図２】
2004142289.tif 000004